(57)【要約】【課題】省スペースであり、かつ、交差角を大きくとることが可能なシール付き等速自在継手を提供する。【解決手段】外側継手部材１とシャフト６の間をシールするシール装置７を備えたシール付き等速自在継手において、シール装置７は、シャフト６の外周に支持され、球面状の第１摺接面１７を外周にもつシール内環１８と、第１摺接面１７に摺接する環状の第１シール部１９を内周にもち、球面状の第２摺接面２１を外周にもつシール中環２０と、第２摺接面２１に摺接する環状の第２シール部２２を内周にもち、外側継手部材１に固定されるシール外環２３とを有する。【選択図】図２
2020148302.tif 000002
【特許請求の範囲】
【請求項１】
内周に周方向に間隔をおいて複数の外側トラック溝（８）が形成された環状の外側継手部材（１）と、
前記外側継手部材（１）の径方向内側に配置され、外周に周方向に間隔をおいて複数の内側トラック溝（９）が形成された内側継手部材（２）と、
前記外側トラック溝（８）と前記内側トラック溝（９）とに同時に転がり接触するように前記外側継手部材（１）と前記内側継手部材（２）の間に組み込まれた複数のボール（３）と、
前記複数のボール（３）をそれぞれ収容する複数のポケット（４）をもち、前記外側継手部材（１）の内周に形成された凹球面（１０）と前記内側継手部材（２）の外周に形成された凸球面（１１）とで摺動可能に支持されたケージ（５）と、
前記内側継手部材（２）に連結されたシャフト（６）と、
前記外側継手部材（１）と前記シャフト（６）の間をシールするシール装置（７）と、
を備えたシール付き等速自在継手において、
前記シール装置（７）は、
前記シャフト（６）の外周に支持され、球面状の第１摺接面（１７）を外周にもつシール内環（１８）と、
前記第１摺接面（１７）に摺接する環状の第１シール部（１９）を内周にもち、球面状の第２摺接面（２１）を外周にもつシール中環（２０）と、
前記第２摺接面（２１）に摺接する環状の第２シール部（２２）を内周にもち、前記外側継手部材（１）に固定されるシール外環（２３）と、を有することを特徴とするシール付き等速自在継手。
【請求項２】
前記シール中環（２０）は、前記ケージ（５）が前記外側継手部材（１）に対して角度変位したときに前記ケージ（５）の軸方向端面（２７）に前記シール中環（２０）が押し動かされて前記ケージ（５）と一緒に角度変位するように前記ケージ（５）の軸方向端面（２７）と対向して設けられている請求項１に記載のシール付き等速自在継手。
【請求項３】
前記内側継手部材（２）と前記シール内環（１８）との間に、前記シール内環（１８）を前記シール中環（２０）に向けて押圧するスプリング（２４）が設けられている請求項１または２に記載のシール付き等速自在継手。
【請求項４】
前記第１摺接面（１７）の球径が、前記内側継手部材（２）の外周の前記凸球面（１１）の球径よりも小さく設定されている請求項１から３のいずれかに記載のシール付き等速自在継手。
【請求項５】
前記第２摺接面（２１）の球径が、前記外側継手部材（１）の内周の前記凹球面（１０）の球径よりも小さく設定されている請求項１から４のいずれかに記載のシール付き等速自在継手。
【請求項６】
前記シール中環（２０）の内周には、前記内側継手部材（２）の外周の凸球面（１１）よりも大径で、前記内側継手部材（２）の側に開放する内径拡大部（２５）が形成されている請求項１から５のいずれかに記載のシール付き等速自在継手。
【請求項７】
前記シール内環（１８）、前記シール中環（２０）、前記シール外環（２３）は、いずれも金属またはプラスチックで形成されている請求項１から６のいずれかに記載のシール付き等速自在継手。
【請求項８】
前記第１摺接面（１７）および前記第２摺接面（２１）に固体潤滑皮膜（３２）が形成されている請求項１から７のいずれかに記載のシール付き等速自在継手。
【請求項９】
前記固体潤滑皮膜（３２）は、二硫化モリブデン、グラファイト、ポリテトラフルオロエチレンのうち少なくとも１つ以上を含む皮膜である請求項８に記載のシール付き等速自在継手。
【発明の詳細な説明】
【技術分野】
【０００１】
この発明は、主として産業機械に使用されるシール付き等速自在継手に関する。
【背景技術】
【０００２】
駆動軸と被駆動軸とを交差角をもって配置し、その駆動軸から被駆動軸に常に等しい角速度で回転を伝達するように駆動軸と被駆動軸を連結する継手として、等速自在継手が用いられる（特許文献１〜３）。
【０００３】
特許文献１〜３の等速自在継手は、環状の外側継手部材と、外側継手部材の径方向内側に配置された内側継手部材と、複数のボールと、そのボールをそれぞれ収容する複数のポケットをもつケージとを有する。ここで、外側継手部材の内周には、周方向に間隔をおいて複数の外側トラック溝が形成され、内側継手部材の外周には、周方向に間隔をおいて複数の内側トラック溝が形成され、ボールは、外側トラック溝と内側トラック溝とに同時に転がり接触するように外側継手部材と内側継手部材の間に組み込まれている。ケージは、外側継手部材の内周に形成された凹球面と内側継手部材の外周に形成された凸球面とで摺動可能に支持されている。
【０００４】
ところで、上記の等速自在継手を産業機械の動力伝達機構に組み込む場合、継手の外部から内部への異物侵入を防止したり、継手の内部から外部へのグリース漏れを防止したりするため、外側継手部材と、内側継手部材に連結したシャフトとの間をシールするシール装置を使用することが多い。
【０００５】
特許文献１では、等速自在継手のシール装置として、柔軟性を有するブーツを使用している。ブーツは、山部と谷部が軸方向に交互に並んだ断面形状をもつ筒状の部材であり、柔軟性をもつ素材（熱可塑性エラストマー）で形成されている。ブーツの一端は、外側継手部材の外周にブーツバンドで締め付けて固定され、ブーツの他端も、シャフトの外周にブーツバンドで締め付けて固定されている。
【０００６】
しかし、産業機械用の等速自在継手は、高温環境や、水蒸気による多湿環境や、スケールや薬品等が飛散する環境などの劣悪環境で使用されることが多い。この場合、特許文献１のように、等速自在継手のシール装置にブーツを使用したのでは、ブーツが劣化し、ブーツのシール性能が早期に低下する問題がある。
【０００７】
そこで、等速自在継手の劣悪環境での使用を可能とするため、特許文献２、３では、等速自在継手のシール装置に、球面シール構造を採用している。
【０００８】
特許文献２の球面シール構造は、球面状の内面をもつ蓋部材をシャフトの外周に装着し、その蓋部材の球面状の内面を、外側継手部材の軸方向の端部外周に摺接させたものである。
【０００９】
特許文献３の球面シール構造は、球面状の外面をもつシール内環をシャフトの外周に装着し、そのシール内環の球面状の外面に摺接するシール部を内周にもつシール外環を外側継手部材に固定したものである。
【先行技術文献】
【特許文献】
【００１０】
【特許文献１】特開２００７−１５５００２号公報
【特許文献２】特開２００７−３０９３６７号公報
【特許文献３】特開２０１０−６５８１４号公報
【発明の概要】
【発明が解決しようとする課題】
【００１１】
特許文献２のように、球面状の内面をもつ蓋部材をシャフトの外周に装着し、その蓋部材の球面状の内面を、外側継手部材の軸方向の端部外周に摺接させたシール装置を採用すると、シール装置の外径や軸方向長さなどが大きいため、省スペースが求められる箇所に使用することが難しい。
【００１２】
一方、特許文献３のように、球面状の外面をもつシール内環をシャフトの外周に装着し、そのシール内環の球面状の外面に摺接するシール部を内周にもつシール外環を外側継手部材に固定したシール装置を採用すると、シール装置の外径や軸方向長さなどを抑えることが可能となるが、外側継手部材とシャフトがなす交差角を大きくとることができないという問題がある。
【００１３】
この発明が解決しようとする課題は、省スペースであり、かつ、交差角を大きくとることが可能なシール付き等速自在継手を提供することである。
【課題を解決するための手段】
【００１４】
上記の課題を解決するため、この発明では、以下の構成のシール付き等速自在継手を提供する。
内周に周方向に間隔をおいて複数の外側トラック溝が形成された環状の外側継手部材と、
前記外側継手部材の径方向内側に配置され、外周に周方向に間隔をおいて複数の内側トラック溝が形成された内側継手部材と、
前記外側トラック溝と前記内側トラック溝とに同時に転がり接触するように前記外側継手部材と前記内側継手部材の間に組み込まれた複数のボールと、
前記複数のボールをそれぞれ収容する複数のポケットをもち、前記外側継手部材の内周に形成された凹球面と前記内側継手部材の外周に形成された凸球面とで摺動可能に支持されたケージと、
前記内側継手部材に連結されたシャフトと、
前記外側継手部材と前記シャフトの間をシールするシール装置と、
を備えたシール付き等速自在継手において、
前記シール装置は、
前記シャフトの外周に支持され、球面状の第１摺接面を外周にもつシール内環と、
前記第１摺接面に摺接する環状の第１シール部を内周にもち、球面状の第２摺接面を外周にもつシール中環と、
前記第２摺接面に摺接する環状の第２シール部を内周にもち、前記外側継手部材に固定されるシール外環と、を有することを特徴とするシール付き等速自在継手。
【００１５】
このようにすると、シール外環とシール内環の間にシール中環が設けられ、そのシール中環とシール外環が径方向に重なり合い、かつ、シール中環とシール内環も径方向に重なり合う構成とされているので、省スペースで、大きな交差角を得ることができる。
【００１６】
前記シール中環は、前記ケージが前記外側継手部材に対して角度変位したときに前記ケージの軸方向端面に前記シール中環が押し動かされて前記ケージと一緒に角度変位するように前記ケージの軸方向端面と対向して設けると好ましい。
【００１７】
このようにすると、シャフトが外側継手部材に対して角度変位するとき、ケージは、シャフトの角度変位の半分の角度まで角度変位し、シール中環も、ケージの軸方向端面に押し動かされることで、シャフトの角度変位の半分程度の角度まで角度変位することとなる。そのため、シャフトを外側継手部材に対して大きく角度変位させたときにも、シール外環とシール中環の間に隙間が生じたり、シール中環とシール内環との間に隙間が生じたりするのを防止することが可能である。
【００１８】
前記内側継手部材と前記シール内環との間に、前記シール内環を前記シール中環に向けて押圧するスプリングを設けると好ましい。
【００１９】
このようにすると、スプリングの押圧力によって、シール内環とシール中環の摺接部分のシール性を高め、かつ、シール中環とシール外環の摺接部分のシール性も高めることが可能となる。
【００２０】
前記第１摺接面の球径は、前記内側継手部材の外周の前記凸球面の球径よりも小さく設定すると好ましい。
【００２１】
このようにすると、シャフトを外側継手部材に対して大きく角度変位させたときに、シール内環がケージに干渉するのを防止することができる。
【００２２】
前記第２摺接面の球径は、前記外側継手部材の内周の前記凹球面の球径よりも小さく設定すると好ましい。
【００２３】
このようにすると、シャフトを外側継手部材に対して大きく角度変位させたときに、シール中環が外側継手部材に干渉するのを防止することができる。
【００２４】
前記シール中環の内周には、前記内側継手部材の外周の凸球面よりも大径で、前記内側継手部材の側に開放する内径拡大部を形成すると好ましい。
【００２５】
このようにすると、シャフトを外側継手部材に対して大きく角度変位させたときに、シール中環が内側継手部材に干渉するのを防止することができる。
【００２６】
前記シール内環、前記シール中環、前記シール外環は、いずれも金属またはプラスチックで形成すると好ましい。
【００２７】
このようにすると、シール内環、シール中環、シール外環の剛性が高く、遠心力による膨張変形を生じにくいので、高速回転する用途に等速自在継手を使用することが可能となる。
【００２８】
前記第１摺接面および前記第２摺接面に固体潤滑皮膜を形成すると好ましい。
【００２９】
このようにすると、シール内環、シール中環、シール外環の相対移動が円滑となる。また、シール内環とシール中環の摺接部分や、シール中環とシール外環の摺接部分が摩耗しにくくなるので、長期にわたってシール性能を確保することが可能となる。
【００３０】
前記固体潤滑皮膜としては、二硫化モリブデン、グラファイト、ポリテトラフルオロエチレンのうち少なくとも１つ以上を含む皮膜を採用することができる。
【発明の効果】
【００３１】
この発明のシール付き等速自在継手は、シール外環とシール内環の間にシール中環が設けられ、そのシール中環とシール外環が径方向に重なり合い、かつ、シール中環とシール内環も径方向に重なり合う構成とされているので、省スペースで、大きな交差角を得ることが可能である。
【図面の簡単な説明】
【００３２】
【図１】この発明の実施形態のシール付き等速自在継手を示す断面図
【図２】図１のシール装置近傍を拡大して示す図
【図３】図１のシール付き等速自在継手を大きな交差角をもって作動させた状態を示す断面図
【図４】図３のシール装置近傍を拡大して示す図
【図５】図１のシール装置の第１摺接面および第２摺接面の近傍の拡大図
【図６】シール中環をもたず、シール内環とシール外環のみでシール装置を構成した比較例のシール付き等速自在継手を示す断面図
【発明を実施するための形態】
【００３３】
図１に、この発明の実施形態のシール付き等速自在継手を示す。このシール付き等速自在継手は、環状の外側継手部材１と、外側継手部材１の径方向内側に配置された内側継手部材２と、複数のボール３と、その複数のボール３をそれぞれ収容する複数のポケット４をもつケージ５と、内側継手部材２に連結されたシャフト６と、外側継手部材１とシャフト６の間をシールするシール装置７とを有する。
【００３４】
外側継手部材１の内周には、周方向に間隔をおいて複数の外側トラック溝８が形成されている。外側トラック溝８は、外側継手部材１の内周を軸方向に延びる溝である。内側継手部材２の外周には、周方向に間隔をおいて複数の内側トラック溝９が形成されている。内側トラック溝９は、内側継手部材２の外周を軸方向に延びる溝である。ボール３は、外側トラック溝８と内側トラック溝９とに同時に転がり接触するように外側継手部材１と内側継手部材２の間に組み込まれている。
【００３５】
ケージ５は、外側継手部材１の内周に形成された凹球面１０と、内側継手部材２の外周に形成された凸球面１１とで摺動可能に支持されている。ここで、ケージ５は、外側継手部材１の内周の凹球面１０に摺接する球状の外周面１２と、内側継手部材２の外周の凸球面１１に摺接する球状の内周面１３とを有する。ケージ５のポケット４は、ボール３の外周に嵌合する径方向の貫通孔である。ケージ５は、ケージ５とボール３が周方向と軸方向の両方向に一体に移動するように各ボール３を保持している。
【００３６】
外側継手部材１の内周の外側トラック溝８は、シャフト６の軸線を含む断面において溝底が円弧状に湾曲した形状を呈するように形成されている。内側継手部材２の外周の内側トラック溝９も、シャフト６の軸線を含む断面において溝底が円弧状に湾曲した形状を呈するように形成されている。ここで、外側トラック溝８の溝底の円弧中心と内側トラック溝９の溝底の円弧中心は、継手中心Ｏ（凹球面１０の中心）から軸方向の逆向きに等距離だけオフセットしている。
【００３７】
シャフト６は、内側継手部材２の中心を軸方向に貫通する貫通孔１４に挿入されている。シャフト６の外周には、内側継手部材２を間に挟んで一対の止め輪１５，１６が装着され、この止め輪１５，１６で内側継手部材２がシャフト６に対して軸方向に固定されている。貫通孔１４はスプライン孔であり、貫通孔１４に対するシャフト６の嵌合部分はスプライン軸である。この貫通孔１４とシャフト６のスプライン嵌合により、内側継手部材２は、シャフト６に回り止めされている。その結果、内側継手部材２は、シャフト６に対して周方向と軸方向のいずれの方向にも相対移動しないようにシャフト６に固定されている。
【００３８】
図２に示すように、シール装置７は、球面状の第１摺接面１７を外周にもつシール内環１８と、第１摺接面１７に摺接する環状の第１シール部１９を内周にもつシール中環２０と、シール中環２０の外周に形成された球面状の第２摺接面２１に摺接する環状の第２シール部２２を内周にもつシール外環２３とを有する。第１摺接面１７は、継手中心Ｏ（図１参照）に中心をもつ球面状に形成されている。また、第２摺接面２１も、継手中心Ｏに中心をもつ球面状に形成されている。
【００３９】
シール内環１８は、シャフト６と一体に角度変位するように、シャフト６の外周に支持されている。内側継手部材２とシール内環１８との間には、シール内環１８をシール中環２０に向けて押圧するスプリング２４が設けられている。スプリング２４は、シャフト６の周囲をらせん状に延びる圧縮コイルばねである。スプリング２４の一端は、止め輪１５で支持され、スプリング２４の他端は、シール内環１８に当接している。第１摺接面１７の球径は、図３、図４に示すように、シール内環１８が角度変位したときにシール内環１８がケージ５に干渉しないように、内側継手部材２の外周の凸球面１１の球径よりも小さく設定されている。
【００４０】
シール中環２０の内周には、内径拡大部２５と第１シール部１９とが形成されている。第１シール部１９は、シール中環２０の内周を全周にわたって途切れずに周方向に延びる環状の突起であり、その先端には、周方向に連続する帯状球面２６が形成されている。帯状球面２６の球径は、帯状球面２６が第１摺接面１７に面接触するように、第１摺接面１７の球径と同じ大きさに設定されている。シール中環２０は、ケージ５が外側継手部材１に対して角度変位したときにケージ５の軸方向端面２７にシール中環２０が押し動かされてケージ５と一緒に角度変位するようにケージ５の軸方向端面２７と対向して設けられている（図３参照）。第２摺接面２１の球径は、図３に示すように、シール中環２０が角度変位したときに、シール中環２０の一部が外側継手部材１の内側に収容されるように、外側継手部材１の内周の凹球面１０の球径よりも小さく設定されている。
【００４１】
図２に示すように、内径拡大部２５は、内側継手部材２の外周の凸球面１１よりも大径で、内側継手部材２の側に開放する形状を有する。これにより、図３に示すように、内側継手部材２が角度変位したときに、内側継手部材２がシール中環２０に干渉せず、図４に示すように、内側継手部材２の外周の凸球面１１の一部が内径拡大部２５の内側に収容されるようになっている。内径拡大部２５は、内側継手部材２が角度変位したときに、内側継手部材２の外周の凸球面１１の一部を収容可能であれば、凹円錐面状に形成してもよいが、図２、図４に示すように、凹球面状に形成すると、シール中環２０の厚みを大きくしてシール中環２０の剛性を高めることが可能となるので好ましい。
【００４２】
図２に示すように、シール外環２３は、外側継手部材１に固定されている。シール外環２３は、外側継手部材１の軸方向端面に支持されるフランジ部２８と、フランジ部２８の径方向内端から軸方向外側に延び出す筒部２９とを有する。フランジ部２８はボルト３０で外側継手部材１に固定されている。第２シール部２２は、筒部２９の内周に形成されている。第２シール部２２は、シール外環２３の内周を全周にわたって途切れずに周方向に延びる環状の突起であり、その先端には、周方向に連続する帯状球面３１が形成されている。帯状球面３１の球径は、帯状球面３１が第２摺接面２１に面接触するように、第２摺接面２１の球径と同じ大きさに設定されている。
【００４３】
シール内環１８、シール中環２０、シール外環２３は、いずれも、ゴムやエラストマーよりも高い剛性をもつ金属またはプラスチック（有機合成高分子）で形成されている。
【００４４】
図５に示すように、第１摺接面１７および第２摺接面２１には、固体潤滑皮膜３２が形成されている。固体潤滑皮膜３２は、二硫化モリブデン、グラファイト、ポリテトラフルオロエチレンのうち少なくとも１つ以上を含む皮膜である。そのような固体潤滑皮膜３２として、二硫化モリブデン、グラファイト、ポリテトラフルオロエチレンをすべて含んだもの（例えば、商品名「デフリックコート」）を使用することができる。
【００４５】
このシール付き等速自在継手は、シール外環２３とシール内環１８の間にシール中環２０が設けられ、そのシール中環２０とシール外環２３が径方向に重なり合い、かつ、シール中環２０とシール内環１８も径方向に重なり合う構成とされているので、省スペースで、大きな交差角θを得ることが可能である。すなわち、図６に示すように、外側継手部材１に固定されるシール外環２３と、シャフト６の外周に支持されるシール内環１８だけでシール装置７を構成したのでは、シャフト６の交差角θを大きくとることができない（通常、１０°程度の交差角θしかとることができない）。これに対し、上記実施形態のように、シール外環２３とシール内環１８の間にシール中環２０を設けると、図３に示すように、シール中環２０の分、交差角θを大きくとることが可能となり、例えば２０°以上（図では２３°）の交差角θをとることが可能となる。
【００４６】
また、このシール付き等速自在継手は、図３に示すように、シャフト６が外側継手部材１に対して角度変位するとき、ケージ５が、シャフト６の角度変位の半分の角度まで角度変位し、このとき、シール中環２０も、ケージ５の軸方向端面２７に押し動かされることで、シャフト６の角度変位の半分程度の角度まで角度変位する。そのため、シャフト６を外側継手部材１に対して大きく角度変位させたときにも、シール外環２３とシール中環２０の間に隙間が生じたり、シール中環２０とシール内環１８との間に隙間が生じたりするのを防止することが可能となっている。
【００４７】
また、このシール付き等速自在継手は、内側継手部材２とシール内環１８との間に、シール内環１８をシール中環２０に向けて押圧するスプリング２４が設けられているので、スプリング２４の押圧力によって、シール内環１８とシール中環２０の摺接部分のシール性を高め、かつ、シール中環２０とシール外環２３の摺接部分のシール性も高めることが可能となっている。
【００４８】
また、このシール付き等速自在継手は、第１摺接面１７の球径が、内側継手部材２の外周の凸球面１１の球径よりも小さいので、図３、図４に示すように、シャフト６を外側継手部材１に対して大きく角度変位させたときに、シール内環１８がケージ５に干渉するのを防止することが可能となっている。
【００４９】
また、このシール付き等速自在継手は、第２摺接面２１の球径が、外側継手部材１の内周の凹球面１０の球径よりも小さいので、図３、図４に示すように、シャフト６を外側継手部材１に対して大きく角度変位させたときに、シール中環２０が外側継手部材１に干渉するのを防止することが可能となっている。
【００５０】
また、このシール付き等速自在継手は、シール中環２０の内周に、内側継手部材２の外周の凸球面１１よりも大径で、内側継手部材２の側に開放する内径拡大部２５を形成しているので、図３、図４に示すように、シャフト６を外側継手部材１に対して大きく角度変位させたときに、シール中環２０が内側継手部材２に干渉するのを防止することが可能となっている。
【００５１】
また、このシール付き等速自在継手は、シール内環１８、シール中環２０、シール外環２３を、いずれも金属またはプラスチックで形成しているので、シール内環１８、シール中環２０、シール外環２３の剛性が高く、遠心力による膨張変形を生じにくい。そのため、高速回転する用途に等速自在継手を使用することが可能である。
【００５２】
また、このシール付き等速自在継手は、第１摺接面１７および第２摺接面２１に固体潤滑皮膜３２を形成しているので、シール内環１８、シール中環２０、シール外環２３の相対移動が円滑である。また、シール内環１８とシール中環２０の摺接部分や、シール中環２０とシール外環２３の摺接部分が摩耗しにくいので、長期にわたってシール性能を確保することが可能である。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５４】
１        外側継手部材
２        内側継手部材
３        ボール
４        ポケット
５        ケージ
６        シャフト
７        シール装置
８        外側トラック溝
９        内側トラック溝
１０      凹球面
１１      凸球面
１７      第１摺接面
１８      シール内環
１９      第１シール部
２０      シール中環
２１      第２摺接面
２２      第２シール部
２３      シール外環
２４      スプリング
２５      内径拡大部
２７      軸方向端面
３２      固体潤滑皮膜
【図１】
2020148302.tif 000003
【図２】
2020148302.tif 000004
【図３】
2020148302.tif 000005
【図４】
2020148302.tif 000006
【図５】
2020148302.tif 000007
【図６】
2020148302.tif 000008